(57)【要約】  特定の機械的結合装置に従ってフレーム構造内に挿入することができる、取り換え可能なインサートシャーシ部品を有する眼鏡装置。特に、インサートシャーシの外形は、フレームのチャネルの外形に一致することができ、シャーシインサートのタブ又はノッチは、明細書に記載されるように、こめかみに隣接してフレームのいずれかの側において、フレームの鼻における孔、タブ、又は凹部内にスナップ結合することができる。
2017526983.tif 000002
【特許請求の範囲】
【請求項１】
１つ以上のシャーシインサートを備えるアイウェア装置であって、各シャーシインサートは、右側レンズ及び左側レンズを包囲し、且つしっかりと保持するシャーシインサートフレームを備え、
前記シャーシインサートフレームは、
前記シャーシインサートフレームの右側半体と左側半体とを接続するノーズブリッジであって、人間の鼻を収容するために、前記右側レンズと前記左側レンズとの間で先細形状を有するノーズブリッジと、
それぞれ前記右側レンズ及び前記左側レンズの上に載置しているシャーシフレームの上部右側部品及び上部左側部品であって、前記ノーズブリッジの最上部分を構成する上部ノーズブリッジ部品によって接合されている上部右側部品及び上部左側部品と、
前記シャーシインサートフレームの上部部品がそれぞれ、所定の角度で前記シャーシインサートフレームの外側右側部品又は外側左側部品と出会う右側テンプル部分及び左側テンプル部分であって、前記外側右側部品及び前記外側左側部品のそれぞれは、それぞれ右側シャーシインサートノッチ又は突出部及び左側シャーシインサートノッチ又は突出部を備える、右側テンプル部分及び左側テンプル部分と、を備え、
前記アイウェア装置は、フレーム部品を備え、前記フレーム部品は、
右側イヤーピース及び左側イヤーピースと、
右側ヒンジ及び左側ヒンジで前記右側イヤーピース及び前記左側イヤーピースに接続された前方フレームであって、右側テンプル部分、左側テンプル部分、及びノーズブリッジ部分を備える前方フレームと、を備え、
前記前方フレームは、前記シャーシフレームの前記上部右側部品、前記上部左側部品、及び前記上部ノーズブリッジ部品を収容する寸法及び形状を有する溝を備え、
前記溝は前記前方フレームの前方部分と後方部分とを備え、前記前方部分は前記シャーシフレームの前記上部右側部品、前記上部左側部品、及び前記上部ノーズブリッジ部品の前方部分を覆うように寸法決めされ、且つ形成されており、
前記後方部分は前記シャーシフレームの前記上部右側部品、前記上部左側部品、及び前記上部ノーズブリッジ部品の後方部分を覆うように寸法決めされ、且つ形成され、
前記溝は、前記シャーシインサートフレームが前記溝内に完全に挿入された場合に、前記シャーシインサートフレームの右側ノッチ又は突出部と左側ノッチ又は突出部と係合するような位置で、前記溝内に、且つ前記溝によって包囲された、右側フレーム突出部又はノッチと左側フレーム突出部又はノッチとを備え、
前記右側シャーシインサートノッチ又は突出部と前記左側シャーシインサートノッチ又は突出部とがノッチである場合に、前記右側フレーム突出部又はノッチと前記左側フレーム突出部又はノッチとは突出部であり、
前記右側シャーシインサートノッチ又は突出部と前記左側シャーシインサートノッチ又は突出部とが突出部である場合に、前記右側フレーム突出部又はノッチと前記左側フレーム突出部又はノッチとはノッチである、アイウェア装置。
【請求項２】
前記右側フレーム突出部又はノッチと前記左側フレーム突出部又はノッチとはノッチであり、前記右側シャーシインサートノッチ又は突出部と前記左側シャーシインサートノッチ又は突出部とは突出部である、請求項１に記載のアイウェア装置。
【請求項３】
前記右側フレーム突出部又はノッチと前記左側フレーム突出部又はノッチとは突出部であり、前記右側シャーシインサートノッチ又は突出部と前記左側シャーシインサートノッチ又は突出部とはノッチである、請求項１に記載のアイウェア装置。
【請求項４】
前記シャーシインサートフレームは、前記上部ノーズブリッジ部品で位置付けられ、且つ内側方向（着用者に向けているであろう方向）に向けて面するシャーシインサートタブ又はキャビティをさらに備え、
前記前方フレームの前記ノーズブリッジ部分は、前記シャーシインサートフレームが前記溝内に完全に挿入された場合に、前記シャーシインサートタブ又はキャビティと係合するであろう位置で、フレームキャビティ又はタブを備え、
前記シャーシインサートタブ又はキャビティは、前記フレームキャビティ又はタブがキャビティである場合に、タブであり、
前記シャーシインサートタブ又はキャビティは、前記フレームキャビティ又はタブがタブである場合に、キャビティである、請求項１に記載のアイウェア装置。
【請求項５】
前記フレームキャビティ又はタブはキャビティであり、前記シャーシインサートタブ又はキャビティはタブである、請求項４に記載のアイウェア装置。
【請求項６】
前記フレームキャビティ又はタブはタブであり、前記シャーシインサートタブ又はキャビティはキャビティである、請求項４に記載のアイウェア装置。
【請求項７】
前記上部右側部品、前記上部左側部品、及び前記上部ノーズブリッジ部品は、上から見た場合に均一の幅であり、前記溝は、その長さに亘って対応する均一の幅である、請求項１に記載のアイウェア装置。
【請求項８】
前記右側レンズ及び前記左側レンズは、近視、遠視、乱視及び／又は老眼の治療のための焦点距離を有する、請求項１に記載のアイウェア装置。
【請求項９】
前記１つ以上のシャーシインサートは、第１のシャーシインサートと、第２のシャーシインサートとを備え、
前記第２のシャーシインサートは、前記第１のシャーシインサートと取り換え可能であり、
前記第２のシャーシインサートは、レンズの焦点距離、シャーシインサートフレームの色彩、レンズの形状、レンズの構成、及びシャーシインサートフレームの構成からなるグループから選択された少なくとも１つの性質において、前記第１のシャーシインサートと実質的に異なっている、請求項１に記載のアイウェア装置。
【請求項１０】
請求項１に記載のアイウェア装置を使用する方法であって、
前記シャーシインサートを前記フレーム部品の前記溝内に挿入するステップを備え、
前記右側フレーム突出部又はノッチと前記左側フレーム突出部又はノッチとはそれぞれ、前記シャーシインサートフレームの右側ノッチ又は突出部と左側ノッチ又は突出部と係合される、方法。
【発明の詳細な説明】
【技術分野】
【０００１】
本願に開示された発明は、アイウェア装置に関する。
【０００２】
アイウェアは、太陽光の遮断、近視、遠視、又は乱視の矯正、読書中の老眼の矯正、起こり得る発射物、風、又は汚染物質から眼を保護すること、又はファッションのためなどの多くの用途を有する。しばしば、異なるレンズは異なる目的のために必要とされる。
【０００３】
いくつかの企業は、取り換え可能なレンズインサートを有するアイウェアを提供する。例えば、米国特許第６，５３３，４１２Ｂ１号は、取り換え可能なレンズを有する眼鏡を記載しており、この眼鏡において、２つのレンズは、フレームに個々に取り付けられることができる。こめかみ部において、レンズは、ノッチとタング（ｔａｎｇ）とによって固定される。ノーズピースにおいて、レンズの円形状の孔内に取り付ける突出ピンが存在する。米国特許第７，５２４，０５５Ｂ２号は、分離レンズが、ノーズピース内の各溝内に取り付ける各レンズのタブによってノーズピースにおいてそれぞれ取り付けられる、アイウェアを記載する。米国特許第７，８８３，２０５Ｂ２号は、クリップオンフレームの「レンズ把持部」内に取り付ける２つのレンズを有するクリップオン眼鏡を記載する。米国特許第８，６６８，３３０号は、各フレームがラッチ装置によって溝に固定される、眼鏡を記載する。
【先行技術文献】
【特許文献】
【０００４】
【特許文献１】米国特許第６，５３３，４１２Ｂ１号公報
【特許文献２】米国特許第７，５２４，０５５Ｂ２号公報
【特許文献３】米国特許第７，８８３，２０５Ｂ２号公報
【特許文献４】米国特許第８，６６８，３３０号公報
【発明の概要】
【発明が解決しようとする課題】
【０００５】
既存の設計における一の問題は、レンズがフレーム内に適合するように設計されるがレンズ自体がフレームによって取り囲まれていないので、それらが補正レンズとともに使用するのに通常不適切であることである。補正レンズは、様々な厚さで提供されており、それ故に、異なる厚さの異なる様々なレンズを収容しなければならない基準フレームとともに、それらを取り換え可能に使用することを難しくする。さらに、先行技術の取り換え可能なアイウェアの設計は、各レンズが典型的に標準的な寸法を持たなければならないので、外観、色、および比率に関してそれらの汎用性を制限する。
【課題を解決するための手段】
【０００６】
それ故に、取り換え可能な部品の寸法、形状、目的、及び外観に関して、汎用性が加えられた取り換え可能なアイウェアシステムを有することが望ましい。
【０００７】
本願明細書に記載されたものは、アイウェア装置の実施形態である。一の実施形態において、アイウェア装置は、シャーシインサート及びフレームを備える。シャーシインサートは、右側レンズ及び左側レンズを包囲し、しっかりと保持するシャーシインサートフレームを備えてもよい。シャーシインサートフレームは、以下のもの：シャーシインサートフレームの右側半体と左側半体を接続するノーズブリッジであって、人間の鼻を収容するために、右側レンズと左側レンズとの間で先細形状を有するノーズブリッジと、それぞれ右側レンズ及び左側レンズの上に載置しているシャーシフレームの上部右側部品及び上部左側部品であって、ノーズブリッジの最上部分を構成する上部ノーズブリッジ部品によって接合されている上部右側部品及び上部左側部品と、シャーシインサートフレームの上部部品がそれぞれ、所定の角度でシャーシインサートの外側右側部品又は外側左側部品と出会う右側テンプル部分及び左側テンプル部分であって、外側右側部品又は外側左側部品のそれぞれは、それぞれ右側シャーシインサートノッチ又は突出部及び左側シャーシインサートノッチ又は突出部を備える右側テンプル部分及び左側テンプル部分と、を備えてもよい。
【０００８】
上記の実施形態において、フレームは、以下のもの：右側イヤーピース及び左側イヤーピースと、右側ヒンジ及び左側ヒンジで右側イヤーピース及び左側イヤーピースに接続された前方フレームであって、右側テンプル部分、左側テンプル部分、及びノーズブリッジ部分を備え、右側テンプル部分、左側テンプル部分、及びノーズブリッジ部分を備える前方フレームとを備えてもよく、前記前方フレームは、シャーシフレームの上部右側部品、上部左側部品、及び上部ノーズブリッジ部品を収容するような寸法及び形状を有する溝を備え、この溝は前方フレームの前方部分と後方部分とを備え、前記前方部分はシャーシフレームの上部右側部品、上部左側部品、上部ノーズブリッジ部品の前方部分を覆うように寸法決めされ、且つ形成されており、前記後方部分はシャーシフレームの上部右側部品、上部左側部品、上部ノーズブリッジ部品の後方部分を覆うように寸法決めされ、且つ形成される。
【０００９】
上記の実施形態において、溝は、シャーシインサートフレームが溝内に完全に挿入された場合に、シャーシインサートフレームの右側ノッチ又は突出部と左側ノッチ又は突出部と係合するような位置で、溝内に、且つ溝によって包囲された、右側フレーム突出部又はノッチと左側フレーム突出部又はノッチとを備えてもよく、右側シャーシインサートノッチ又は突出部と左側シャーシインサートノッチ又は突出部とがノッチである場合に、右側フレーム突出部又はノッチと左側フレーム突出部又はノッチとは突出部であり、右側シャーシインサートノッチ又は突出部と左側シャーシインサートノッチ又は突出部とが突出部である場合に、右側フレーム突出部又はノッチと左側フレーム突出部又はノッチとはノッチである。
【００１０】
他の実施形態において、右側フレーム突出部又はノッチと左側フレーム突出部又はノッチとはノッチであってもよく、右側シャーシインサートノッチ又は突出部と左側シャーシインサートノッチ又は突出部とは突出部であってもよい。代替的には、右側フレーム突出部又はノッチと左側フレーム突出部又はノッチとは突出部であってもよく、右側シャーシインサートノッチ又は突出部と左側シャーシインサートノッチ又は突出部とはノッチであってもよい。
【００１１】
他の実施形態において、シャーシインサートフレームは、上部ノーズブリッジ部分で位置付けられ、且つ内側方向（着用者に向けているであろう方向）に向けて面するシャーシインサートタブ又はキャビティを備えてもよい。この前方フレームの上部ノーズブリッジ部分は、シャーシインサートフレームが溝内に完全に挿入された場合に、シャーシインサートタブ又はキャビティと係合するであろう位置で、フレームキャビティ又はタブを備えてもよく、シャーシインサートタブ又はキャビティは、フレームキャビティ又はタブがキャビティである場合にタブであり、シャーシインサートタブ又はキャビティは、フレームキャビティ又はタブがタブである場合にキャビティである。
【００１２】
他の実施形態において、フレームキャビティ又はタブはキャビティであってもよく、前記シャーシインサートタブ又はキャビティはタブであってもよい。代替的には、フレームキャビティ又はタブはタブであってもよく、前記シャーシインサートタブ又はキャビティはキャビティであってもよい。
【００１３】
他の実施形態において、上部右側部品、上部左側部品、及び上部ノーズブリッジ部品は、上から見た場合に均一の幅であってもよく、前記溝は、その長さに亘って対応する均一の幅であってもよい。
【００１４】
他の実施形態において、レンズは、近視、遠視、乱視及び／又は老眼の治療のための焦点距離を有してもよい。
【００１５】
他の実施形態は本願明細書に開示される。
【００１６】
添付した図面は、本願明細書内に組み込まれており、詳細な説明と共に本願明細書に開示された発明の１つ以上の例示的な実施形態を図示し、それらの発明の原理及び例示的な実施例を説明するのに役立つ。当業者は、図面が例示の目的であり、本願明細書に記載されたものが明細書の文章又はこの分野の通常の知識に基づいて適応されることができることを理解するだろう。
【００１７】
図面において、同様の参照符号は、明細書において同様の参照符号を示す。
【図面の簡単な説明】
【００１８】
【図１Ａ】拡大した状態でフレーム及びインサートシャーシの例示的な実施形態の正面図である。
【図１Ｂ】拡大した状態でフレーム及びインサートシャーシの例示的な実施形態の側面図である。
【図２】平面図及び鼻取付孔を示しているカットアウト部分図である。
【図３】イヤーピースがヒンジで折り畳まれた状態の平面図である。
【図４】インサートシャーシを有していない状態のフレームの正面図である。
【図５Ａ】インサートシャーシの平面図である。
【図５Ｂ】インサートシャーシの２つの異なる形状を示すインサートシャーシの側面図である。
【図５Ｃ】インサートシャーシの２つの異なる形状を示すインサートシャーシの側面図である。
【図６】どのようにインサートシャーシが挿入されるのかを示す、フレームの隣のインサートシャーシの図及びフレーム内に挿入され、且つフレームと係合したインサートシャーシの詳細図である。
【発明を実施するための形態】
【００１９】
以下の詳細な説明は例示的なものにすぎず、とにかく限定するように意図されていない。他の実施形態は、この開示の利益を有する当業者にそれ自体を容易に示唆するだろう。参照符号は、添付した図面に図示されるように、詳細に導入されているだろう。同じ参照符号は、同じ部品又は類似の部品を参照するように、以下の図面及び詳細な説明を通じて使用されるだろう。
【００２０】
明瞭化のために、本願明細書に記載される実施形態の所定の特徴の全てが示され、且つ記載されるわけではない。このような実際の実施形態の発達において、複数の実施の具体的な決断は、出願に関連した制約及びビジネスに関連した制約の順守等の開発者の具体的な目標に到達するために行われなければならない。それらの具体的な目標は、一の実施形態から他の実施形態へ、且つ一の開発者から他の開発者へ変化するだろう。さらに、このような開発努力は複雑で時間がかかるが、それにもかかわらず、この開示の利益を有する当業者にとっては、工学の所定の取り組みであることは理解されるだろう。
【００２１】
図１Ａ及び図１Ｂはそれぞれ、アイウェアの例示的な実施形態の正面図及び側面図である。アイウェアは、フレーム１０１と、インサートシャーシ１１３とを含む。それらは、拡大した状態で示される。インサートシャーシ１１３は、シャーシインサートフレーム１０５によって包囲されたレンズ１００を含む。図１Ａ及び図１Ｂはシャーシインサートフレーム１０５によって全体的に包囲されたレンズ１００を示すけれども、他の実施形態において、レンズ１００は、シャーシインサートフレーム１０５によって部分的にのみ包囲されてもよい。また、示されているものは、イヤーピース１０２である。図１Ａにおいて、フレームは、インサートシャーシにおける対応するノッチと係合するように、右側フレーム突出部１１１及び左側フレーム突出部１１１を含むように示される。フレームのノーズ部分１０４において、実施形態はまたフレームにおける孔１０３を示しており、この孔１０３と、インサートシャーシのタブが係合することができる。
【００２２】
図２は、平面図であり、ノーズ取付孔１０３を示しているカットアウト部分図１０８である。部分図１０８は、観察者から９０度外向きに回転される。この図面は、イヤーピース１０２及びフレーム１０１上のヒンジ１０７を示す。この実施形態において、シャーシインサート１１３は、着用者の鼻と係合するために、広がったノーズレスト１０６を含む。他の実施形態において、シャーシインサートは、例えば、ノーズパッド又はフレームのノーズブリッジ領域１０４における他のノーズ係合部品を含んでもよく、そこには、シャーシインサートフレームのタブが係合することができる孔１０３が示される。代替的には、シャーシインサートフレームにおけるタブは、フレームにおけるノッチ又は凹部と係合してもよい。他の実施形態において、フレームにおけるタブは、インサートシャーシフレームにおける孔、ノッチ、又は凹部と係合してもよい。他の実施形態において、複数のタブ又は突出部は、複数の孔又は凹部と係合してもよい。それらのタブ、突出部、孔、又は凹部は、それらの組み合わせにおいて、フレーム又はシャーシインサートフレーム上にあってもよい。
【００２３】
図３は、イヤーピースがヒンジで折り畳まれた状態の、図２と類似の平面図である。
【００２４】
図４は、インサートシャーシがない状態の、フレーム１０１の正面図である。図４は、フレームの右側及び左側に複数の突出部１１１を示す。ノーズブリッジ領域１０４において、図４は、インサートシャーシフレーム上のタブと係合するための孔１０３を示す。
【００２５】
図５Ａ、図５Ｂ、及び図５Ｃはそれぞれ、例示的なインサートシャーシの正面図、側面図、及び、側面図である。それらの実施形態において、シャーシフレームは、ノーズブリッジ領域において複数の突出部１０９を含み、それらの突出部１０９は、フレーム上の孔又は凹部と係合することができる。この例示的な突出部は、断面図１１０にも示される。前述したように、これは代替的に、凹部であってもよく、この凹部は、フレーム部品上の突出部と係合することができる。突出部（又は凹部）は、着用者の方向に向けて面している、インサートシャーシフレーム１０５の後方にあってもよい。他の実施形態において、それは、着用者の方向から外向きに面してもよい。シャーシインサートとフレーム部品との間の係合の様々な他の手段、例えばラッチ、クランプ、ピン、又は同様のものは、使用されることができる。
【００２６】
図５Ｂ及び図５Ｃは、インサートシャーシのための２つの異なる形状を示す。機能、ファッション性、視力の必要性、医療の必要性、又は他の考慮に応じて、インサートシャーシの寸法、形状、及び他の性質において幅広い変更があってもよい。シャーシインサートはフレーム部品と係合するように寸法決めされたシャーシインサートフレーム１０５を含むので、レンズ自体の寸法は、均一にする必要がない。それらは、視力矯正のために必要されることができるように幅広になってもよく、又は幅狭になってもよい。レンズの寸法又は外形における必要な限定なしに、それらは、老眼鏡、遠近両用眼鏡、保護眼鏡、スポーツ用眼鏡、サングラス、パーソナルディスプレイ装置又はバーチャルリアリティ装置、アクティブ３次元眼鏡又はパッシブ３次元眼鏡、又は、様々な種類のアイウェアとして使用されてもよい。さらに、フレーム１０５は、機能的な目的及び／又は審美的な目的に適合するために、様々な色彩、構成、寸法、又は形状であってもよい。シャーシインサートフレームにとっての適切な構成の例示は、注入されたポリマー（例えば、ＴＲ−９０、アセテート・プラスチック）、注入されていないポリマー、金属、木材、及び、サングラス及び眼科用アイウェアの一般的に使用される他の材料を含んでもよい。
【００２７】
図６は、インサートシャーシがどのように挿入され得るのかを示している、フレームに隣接したインサートシャーシの図、及び、フレーム内に挿入され、且つフレームと係合されたインサートシャーシの詳細図である。前方フレーム部品１０１は溝１１６を含む。溝のいずれか一方の側には、後方フレーム部分１１４及び前方フレーム部分１１５がある。前方フレーム部分１１５は、シャーシフレーム１０５の上部右側部品１１７、上部左側部品１１９、及び、上部ノーズブリッジ部品１１８の前方部分を覆うように寸法決めされ、且つ形成されてもよく、後方フレーム部分１１４は、シャーシフレーム１０５の上部右側部品１１７、上部左側部品１１９、及び、上部ノーズブリッジ部品１１８の後方部分を覆うように寸法決めされ、且つ形成されてもよい。
【００２８】
上記の設計は、付与されたフレーム部品に対してシャーシインサート全体を変更する能力を可能にする。例えば、使用者は特定の目的のための特定のシャーシインサートを有してもよく、同じフレーム部品とそれらを取り換えることができる。さらに、使用者は、異なるスタイル又は目的の複数のフレーム部品の間で特定のシャーシインサートをスイッチしてもよい。
【００２９】
上記は、本願発明を実施するための例示的な形態であり、限定するように意図されていない。以下の特許請求の範囲に記載されるように、発明の技術的精神及び技術的範囲から逸脱することなくそれらに対する修正を行うことができることは、当業者にとって明らかである。
【符号の説明】
【００３０】
１００  レンズ
１０１  前方フレーム部品
１０１  フレーム
１０２  イヤーピース
１０３  孔、ノーズ取付孔
１０４  ノーズ部分、ノーズブリッジ領域
１０５  フレーム、シャーシフレーム、シャーシインサートフレーム、インサートシャーシフレーム
１０６  ノーズレスト
１０７  ヒンジ
１０８  カットアウト部分図、部分図
１０９  突出部
１１０  断面図
１１１  突出部、左側フレーム突出部、右側フレーム突出部
１１３  インサートシャーシ、シャーシインサート
１１４  後方フレーム部分
１１５  前方フレーム部分
１１６  溝
１１７  上部右側部品
１１８  上部ノーズブリッジ部品
１１９  上部左側部品
【図１Ａ】
2017526983.tif 000003
【図１Ｂ】
2017526983.tif 000004
【図２】
2017526983.tif 000005
【図３】
2017526983.tif 000006
【図４】
2017526983.tif 000007
【図５Ａ】
2017526983.tif 000008
【図５Ｂ】
2017526983.tif 000009
【図５Ｃ】
2017526983.tif 000010
【図６】
2017526983.tif 000011
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
１つ以上のインサートシャーシを備えるアイウェア装置であって、各インサートシャーシは、様々な形状及び寸法のシャーシインサートフレームを収容するように構成されており、前記シャーシインサートフレームは右側レンズ及び左側レンズを包囲し、且つ固定するように構成されており、
前記シャーシインサートフレームは、
前記シャーシインサートフレームの右側半体と左側半体とを接続するノーズブリッジであって、人間の鼻を収容するために、前記右側レンズと前記左側レンズとの間で先細形状を有するノーズブリッジと、
それぞれ前記右側レンズ及び前記左側レンズの上に載置しているシャーシインサートフレームの上部右側部品及び上部左側部品であって、前記ノーズブリッジの最上部分を構成する上部ノーズブリッジ部品によって接合されている上部右側部品及び上部左側部品と、
前記シャーシインサートフレームの前記上部右側部品に連結された外側右側部品であって、右側シャーシインサートノッチ又は突出部を有する、外側右側部品と、
前記シャーシインサートフレームの前記上部左側部品に連結された外側左側部品であって、左側シャーシインサートノッチ又は突出部を有する、外側左側部品と、
を備え、
前記アイウェア装置は、フレーム部品を備え、前記フレーム部品は、
右側イヤーピース及び左側イヤーピースと、
第１の非磁性材料から構成された前方フレームであって、右側ヒンジ及び左側ヒンジで前記右側イヤーピース及び前記左側イヤーピースに接続され、右側テンプル部分、左側テンプル部分、及びノーズブリッジ部分を備える前方フレームと、を備え、
前記前方フレームは、前記第１の非磁性材料によって規定された内面を有する溝であって、前記溝の内面を規定する前記第１の非磁性材料と接触して前記シャーシインサートフレームの前記上部右側部品、前記上部左側部品、及び前記上部ノーズブリッジ部品を収容する寸法及び形状を有する溝を備え、
前記溝は前記前方フレームの前方部分と後方部分とを備え、前記前方部分は前記シャーシインサートフレームの前記上部右側部品、前記上部左側部品、及び前記上部ノーズブリッジ部品の前方部分を覆うように寸法決めされ、且つ形成されており、
前記後方部分は前記シャーシインサートフレームの前記上部右側部品、前記上部左側部品、及び前記上部ノーズブリッジ部品の後方部分を覆うように寸法決めされ、且つ形成され、
前記溝は、前記シャーシインサートフレームの前記上部右側部品、前記上部左側部品、及び上部ノーズブリッジ部品が前記溝内に完全に挿入された場合に、前記シャーシインサートフレームの右側ノッチ又は突出部と左側ノッチ又は突出部と係合するような位置で、前記溝内に、且つ前記溝によって包囲された、右側フレーム突出部又はノッチと左側フレーム突出部又はノッチとを備え、
前記右側シャーシインサートノッチ又は突出部と前記左側シャーシインサートノッチ又は突出部とがノッチである場合に、前記右側フレーム突出部又はノッチと前記左側フレーム突出部又はノッチとは突出部であり、
前記右側シャーシインサートノッチ又は突出部と前記左側シャーシインサートノッチ又は突出部とが突出部である場合に、前記右側フレーム突出部又はノッチと前記左側フレーム突出部又はノッチとはノッチであり、
前記シャーシインサートフレームは、前記上部ノーズブリッジ部品で位置付けられ、且つ内側方向（着用者に向けているであろう方向）に向けて面するシャーシインサートタブ又はキャビティをさらに備え、
前記前方フレームの前記ノーズブリッジ部分は、前記シャーシインサートフレームの前記上部右側部品、前記上部左側部品、及び前記上部ノーズブリッジ部品が前記溝内に完全に挿入された場合に、前記シャーシインサートタブ又はキャビティと係合するであろう位置で、フレームキャビティ又はタブを備え、
前記シャーシインサートタブ又はキャビティは、前記フレームキャビティ又はタブがキャビティである場合に、タブであり、
前記シャーシインサートタブ又はキャビティは、前記フレームキャビティ又はタブがタブである場合に、キャビティである、アイウェア装置。
【請求項２】
前記右側フレーム突出部又はノッチと前記左側フレーム突出部又はノッチとはノッチであり、前記右側シャーシインサートノッチ又は突出部と前記左側シャーシインサートノッチ又は突出部とは突出部である、請求項１に記載のアイウェア装置。
【請求項３】
前記右側フレーム突出部又はノッチと前記左側フレーム突出部又はノッチとは突出部であり、前記右側シャーシインサートノッチ又は突出部と前記左側シャーシインサートノッチ又は突出部とはノッチである、請求項１に記載のアイウェア装置。
【請求項４】
前記フレームキャビティ又はタブはキャビティであり、前記シャーシインサートタブ又はキャビティはタブである、請求項１に記載のアイウェア装置。
【請求項５】
前記フレームキャビティ又はタブはタブであり、前記シャーシインサートタブ又はキャビティはキャビティである、請求項１に記載のアイウェア装置。
【請求項６】
前記上部右側部品、前記上部左側部品、及び前記上部ノーズブリッジ部品は、上から見た場合に均一の幅であり、前記溝は、その長さに亘って対応する均一の幅である、請求項１に記載のアイウェア装置。
【請求項７】
前記右側レンズ及び前記左側レンズは、近視、遠視、乱視及び／又は老眼の治療のための焦点距離を有する、請求項１に記載のアイウェア装置。
【請求項８】
前記１つ以上のインサートシャーシは、第１のインサートシャーシと、第２のインサートシャーシとを備え、
前記第２のインサートシャーシは、前記第１のインサートシャーシと取り換え可能であり、
前記第２のインサートシャーシは、レンズの焦点距離、シャーシインサートフレームの色彩、レンズの形状、レンズの構成、及びシャーシインサートフレームの構成からなるグループから選択された少なくとも１つの性質において、前記第１のインサートシャーシと実質的に異なっている、請求項１に記載のアイウェア装置。
【請求項９】
請求項１に記載のアイウェア装置を使用する方法であって、
前記インサートシャーシを前記フレーム部品の前記溝内に挿入するステップを備え、
前記右側フレーム突出部又はノッチと前記左側フレーム突出部又はノッチとはそれぞれ、前記シャーシインサートフレームの右側ノッチ又は突出部と左側ノッチ又は突出部と係合される、方法。
【国際調査報告】
2017526983.tif 000012